(57)【要約】【課題】  短時間で最適な方向の指向方向を検出することができるテレビジョン受信システム、チューナおよびテレビジョン受信方法の提供を課題とする。【解決手段】  本発明において、第一の信号状態検出工程にて大雑把に指向性が合致すると特定された方向との角度の差異が小さい指向方向Ｄ１〜Ｄ１６を第二の選択工程において選択し、同特定された方向の近辺についてのみ、さらに詳細に受信状態を検出するようにしている。このようにすることにより、全指向方向Ｄ１〜Ｄ１６についてＡＧＣ電圧を検出することなく、最適な指向方向Ｄ１〜Ｄ１６の特定を行うことができる。従って、全体の処理時間を短縮することができる。【選択図】  図６
2005354628.tif 000002
【特許請求の範囲】
【請求項１】
放射状に均等なＮ方向（Ｎは８以上の自然数）の可変指向方向を有するスマートアンテナと、
同スマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを備えるチューナとからなるテレビジョン受信システムにおいて、
上記チューナは、
選択されるＭ方向（Ｍは２以上でＮより小さいＮの約数）の上記指向方向のうち隣接するもの同士の角度差がそれぞれ（３６０／Ｍ）度となるようにＭ方向の上記指向方向を選択する第一の選択手段と、
上記アンテナコントロール部に上記第一の選択手段にて選択された複数の上記指向方向のそれぞれに切り換えさせる第一の検索手段と、
上記チューナ部にて抽出される周波数成分の信号状態を上記第一の選択手段にて選択された複数の上記指向方向のそれぞれについて検出する第一の信号状態検出手段と、
上記第一の信号状態検出手段にて検出された上記信号状態が良好な上記指向方向を特定し、同特定された同指向方向との角度差が小さい複数の上記指向方向を選択する第二の選択手段と、
上記アンテナコントロール部に上記第二の選択手段にて選択された複数の上記指向方向のそれぞれに切り換えさせる第二の検索手段と、
上記チューナ部にて抽出される周波数成分の信号状態を上記第二の選択手段にて選択された複数の上記指向方向のそれぞれについて検出する第二の信号状態検出手段と、
上記第一および上記第二の信号状態検出手段にて検出された上記信号状態が良好な上記指向方向を特定する指向方向特定手段とを具備することを特徴とするテレビジョン受信システム。
【請求項２】
複数の可変指向方向を有するスマートアンテナと、
同スマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを備えるチューナとからなるテレビジョン受信システムにおいて、
上記チューナは、
選択される複数の上記指向方向のうち隣接するもの同士の間に少なくとも一方向の上記指向方向が挟まれるように上記指向方向を選択する第一の選択手段と、
上記アンテナコントロール部に上記第一の選択手段にて選択された複数の上記指向方向のそれぞれに切り換えさせる第一の検索手段と、
上記チューナ部にて抽出される周波数成分の信号状態を上記第一の選択手段にて選択された複数の上記指向方向のそれぞれについて検出する第一の信号状態検出手段と、
上記第一の信号状態検出手段にて検出された上記信号状態が良好な上記指向方向を特定し、同特定された同指向方向との角度差が小さい複数の上記指向方向を選択する第二の選択手段と、
上記アンテナコントロール部に上記第二の選択手段にて選択された複数の上記指向方向のそれぞれに切り換えさせる第二の検索手段と、
上記チューナ部にて抽出される周波数成分の信号状態を上記第二の選択手段にて選択された複数の上記指向方向のそれぞれについて検出する第二の信号状態検出手段と、
上記第一および上記第二の信号状態検出手段にて検出された上記信号状態が良好な上記指向方向を特定する指向方向特定手段とを具備することを特徴とするテレビジョン受信システム。
【請求項３】
上記指向方向はＮ方向（Ｎは８以上の自然数）、放射状に均等に設けられるとともに、
上記第一の選択手段は、選択されるＭ方向（Ｍは２以上でＮより小さいＮの約数）の上記指向方向のうち隣接するもの同士の角度差が（３６０／Ｍ）度となるようにＭ方向の上記指向方向を選択することを特徴とする請求項２に記載のテレビジョン受信システム。
【請求項４】
上記第一の選択手段は、選択される複数の上記指向方向のうち隣接するもの同士に挟まれる上記指向方向の方向数が均等となるように複数の上記指向方向を選択することを特徴とする請求項２に記載のテレビジョン受信システム。
【請求項５】
上記第一および上記第二の信号状態検出手段にて検出する上記信号状態は上記周波信号の増幅率を規定するＡＧＣ電圧であることを特徴とする請求項２から請求項４のいずれかに記載のテレビジョン受信システム。
【請求項６】
上記第一および上記第二の信号状態検出手段にて検出する上記信号状態は上記周波信号のエラーレートであることを特徴とする請求項２から請求項５のいずれかに記載のテレビジョン受信システム。
【請求項７】
複数の可変指向方向を有するスマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを具備するチューナにおいて、
選択される複数の上記指向方向のうち隣接するもの同士の間に少なくとも一方向の上記指向方向が挟まれるように上記指向方向を選択する第一の選択手段と、
上記アンテナコントロール部に上記第一の選択手段にて選択された複数の上記指向方向のそれぞれに切り換えさせる第一の検索手段と、
上記チューナ部にて抽出される周波数成分の信号状態を上記第一の選択手段にて選択された複数の上記指向方向のそれぞれについて検出する第一の信号状態検出手段と、
上記第一の信号状態検出手段にて検出された上記信号状態が良好な上記指向方向を特定し、同特定された同指向方向との角度差が小さい複数の上記指向方向を選択する第二の選択手段と、
上記アンテナコントロール部に上記第二の選択手段にて選択された複数の上記指向方向のそれぞれに切り換えさせる第二の検索手段と、
上記チューナ部にて抽出される周波数成分の信号状態を上記第二の選択手段にて選択された複数の上記指向方向のそれぞれについて検出する第二の信号状態検出手段と、
上記第一および上記第二の信号状態検出手段にて検出された上記信号状態が良好な上記指向方向を特定する指向方向特定手段とを具備することを特徴とするチューナ。
【請求項８】
複数の可変指向方向を有するスマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部と用いるテレビジョン受信方法において、
選択される複数の上記指向方向のうち隣接するもの同士の間に少なくとも一方向の上記指向方向が挟まれるように上記指向方向を選択する第一の選択工程と、
上記アンテナコントロール部に上記第一の選択工程にて選択された複数の上記指向方向のそれぞれに切り換えさせる第一の検索工程と、
上記チューナ部にて抽出される周波数成分の信号状態を上記第一の選択工程にて選択された複数の上記指向方向のそれぞれについて検出する第一の信号状態検出工程と、
上記第一の信号状態検出工程にて検出された上記信号状態が良好な上記指向方向を特定し、同特定された同指向方向との角度差が小さい複数の上記指向方向を選択する第二の選択工程と、
上記アンテナコントロール部に上記第二の選択工程にて選択された複数の上記指向方向のそれぞれに切り換えさせる第二の検索工程と、
上記チューナ部にて抽出される周波数成分の信号状態を上記第二の選択工程にて選択された複数の上記指向方向のそれぞれについて検出する第二の信号状態検出工程と、
上記第一および上記第二の信号状態検出工程にて検出された上記信号状態が良好な上記指向方向を特定する指向方向特定工程とを具備することを特徴とするテレビジョン受信方法。
【発明の詳細な説明】
【技術分野】
【０００１】
本発明は、テレビジョン受信システム、チューナおよびテレビジョン受信方法に関する。
【背景技術】
【０００２】
従来、この種のテレビジョン受信システムとして、アンテナを全方向回転させつつＡＧＣ電圧を検出し、同ＡＧＣ電圧が極値となる方向を検索するものが知られている（例えば、特許文献１、参照）。
かかるテレビジョン受信システムによれば、いずれの方向から放送電波が発信されたとしても、良好な受信状態を実現することが可能であった。
【特許文献１】特開平７−７４４２号公報
【発明の開示】
【発明が解決しようとする課題】
【０００３】
しかしながら、アンテナを全方向回転するには時間がかかり、ＡＧＣ電圧が極値となる方向を検索するための所要時間が長いという課題があった。さらに、ＡＧＣ電圧が安定するには時間を要するため、全方向においてＡＧＣ電圧を測定するには膨大な時間を要するという課題があった。
【０００４】
本発明は、上記課題にかんがみてなされたもので、最適なアンテナ方向を素早く特定することが可能なテレビジョン受信システム、チューナおよびテレビジョン受信方法を提供することを目的とする。
【課題を解決するための手段】
【０００５】
上記目的を達成するため、請求項１にかかる発明では、放射状に均等なＮ方向（Ｎは８以上の自然数）の可変指向方向を有するスマートアンテナと、同スマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを備えるチューナとからなるテレビジョン受信システムにおいて、
上記チューナは、選択されるＭ方向（ＭはＮの約数）の上記指向方向のうち隣接するもの同士の角度差がそれぞれ（３６０／Ｍ）度となるようにＭ方向の上記指向方向を選択する第一の選択手段と、上記アンテナコントロール部に上記第一の選択手段にて選択された複数の上記指向方向のそれぞれに切り換えさせる第一の検索手段と、上記チューナ部にて抽出される周波数成分の信号状態を上記第一の選択手段にて選択された複数の上記指向方向のそれぞれについて検出する第一の信号状態検出手段と、上記第一の信号状態検出手段にて検出された上記信号状態が良好な上記指向方向を特定し、同特定された同指向方向との角度差が小さい複数の上記指向方向を選択する第二の選択手段と、上記アンテナコントロール部に上記第二の選択手段にて選択された複数の上記指向方向のそれぞれに切り換えさせる第二の検索手段と、上記チューナ部にて抽出される周波数成分の信号状態を上記第二の選択手段にて選択された複数の上記指向方向のそれぞれについて検出する第二の信号状態検出手段と、上記第一および上記第二の信号状態検出手段にて検出された上記信号状態が良好な上記指向方向を特定する指向方向特定手段とを具備する構成としてある。
【０００６】
上記のように構成した請求項１の発明は、スマートアンテナにはＮ方向（Ｎは８以上の自然数）の可変指向方向が設けられ、同指向方向は放射状に均等に配向される。アンテナコントロール部はＮ方向の上記指向方向のうち上記スマートアンテナに設定するものを選択的に切り換える。チューナ部は上記スマートアンテナにて受信した周波信号から所望の周波数成分を抽出し、再生部は同チューナ部にて抽出された周波信号から映像信号を生成する。
【０００７】
第一の選択手段は、Ｎ方向の指向方向からＭ方向（ＭはＮの約数）の上記指向方向を選択する。その際、選択されたＭ方向（ＭはＮの約数）の上記指向方向のうち隣接するもの同士の角度差は（３６０／Ｍ）度とされる。第一の検索手段は、上記第一の選択手段にて選択されたＭ方向の上記指向方向のそれぞれに切り換えるよう上記アンテナコントロール部に指令する。第一の信号状態検出手段は、上記第一の選択手段にて選択された複数の上記指向方向のそれぞれについて、上記チューナ部にて抽出される周波数成分の信号状態を検出する。
【０００８】
第二の選択手段は、上記第一の信号状態検出手段にて検出された上記信号状態が良好な上記指向方向を特定する。そして、第二の選択手段は、特定された同指向方向との角度差が小さい複数の上記指向方向を選択する。第二の検索手段は、第二の選択手段にて選択された複数の上記指向方向のそれぞれに切り換えるように上記アンテナコントロール部に指令する。第二の信号状態検出手段は、上記チューナ部にて抽出される周波数成分の信号状態を上記第二の選択手段にて選択された複数の上記指向方向のそれぞれについて検出する。さらに、指向方向特定手段は、上記第一および上記第二の信号状態検出手段にて検出された上記信号状態が良好な上記指向方向を特定する。
【０００９】
ここで、本発明のテレビジョン受信システムの構成要素は単独の機器に備えられるものであっても良いし、他の機器に備えられるものであっても良い。例えば、テレビジョン受信システムボックス等のセットトップボックスに単独で本発明の構成要素を備えさせても良いし、テレビジョンやビデオ等に本発明の構成要素を複合的に備えさせても良い。
【００１０】
また、請求項２にかかる発明は、複数の可変指向方向を有するスマートアンテナと、同スマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを備えるチューナとからなるテレビジョン受信システムにおいて、
上記チューナは、選択される複数の上記指向方向のうち隣接するもの同士の間に少なくとも一方向の上記指向方向が挟まれるように上記指向方向を選択する第一の選択手段と、上記アンテナコントロール部に上記第一の選択手段にて選択された複数の上記指向方向のそれぞれに切り換えさせる第一の検索手段と、上記チューナ部にて抽出される周波数成分の信号状態を上記第一の選択手段にて選択された複数の上記指向方向のそれぞれについて検出する第一の信号状態検出手段と、上記第一の信号状態検出手段にて検出された上記信号状態が良好な上記指向方向を特定し、同特定された同指向方向との角度差が小さい複数の上記指向方向を選択する第二の選択手段と、上記アンテナコントロール部に上記第二の選択手段にて選択された複数の上記指向方向のそれぞれに切り換えさせる第二の検索手段と、上記チューナ部にて抽出される周波数成分の信号状態を上記第二の選択手段にて選択された複数の上記指向方向のそれぞれについて検出する第二の信号状態検出手段と、上記第一および上記第二の信号状態検出手段にて検出された上記信号状態が良好な上記指向方向を特定する指向方向特定手段とを具備する構成としてある。
【００１１】
上記のように構成した請求項２の発明は、スマートアンテナには複数の可変指向方向が備えられる。アンテナコントロール部は複数の上記指向方向のうち上記スマートアンテナに設定するものを選択的に切り換える。チューナ部は上記スマートアンテナにて受信した周波信号から所望の周波数成分を抽出し、再生部は同チューナ部にて抽出された周波信号から映像信号を生成する。
【００１２】
第一の選択手段は、選択される複数の上記指向方向のうち隣接するもの同士の間に少なくとも一方向の上記指向方向が挟まれるように上記指向方向を選択する。第一の検索手段は、上記第一の選択手段にて選択された複数の上記指向方向のそれぞれに切り換えるよう上記アンテナコントロール部に指令する。第一の信号状態検出手段は、上記第一の選択手段にて選択された複数の上記指向方向のそれぞれについて、上記チューナ部にて抽出される周波数成分の信号状態を検出する。
【００１３】
第二の選択手段は、上記第一の信号状態検出手段にて検出された上記信号状態が良好な上記指向方向を特定する。そして、第二の選択手段は、特定された同指向方向との角度差が小さい複数の上記指向方向を選択する。第二の検索手段は、第二の選択手段にて選択された複数の上記指向方向のそれぞれに切り換えるように上記アンテナコントロール部に指令する。第二の信号状態検出手段は、上記チューナ部にて抽出される周波数成分の信号状態を上記第二の選択手段にて選択された複数の上記指向方向のそれぞれについて検出する。さらに、指向方向特定手段は、上記第一および上記第二の信号状態検出手段にて検出された上記信号状態が良好な上記指向方向を特定する。
【００１４】
さらに、請求項３にかかる発明は、上記指向方向はＮ方向（Ｎは８以上の自然数）、放射状に均等に設けられるとともに、
上記第一の選択手段は、選択されるＭ方向（ＭはＮの約数）の上記指向方向のうち隣接するもの同士の角度差が（３６０／Ｍ）度となるようにＭ方向の上記指向方向を選択する構成としてある。
【００１５】
上記のように構成した請求項３の発明は、Ｎ方向（Ｎは８以上の自然数）の上記指向方向が備えられ、それぞれ均等かつ放射状に配置される。一方、上記第一の選択手段は、選択されるＭ方向（ＭはＮの約数）の上記指向方向のうち隣接するもの同士の角度差が（３６０／Ｍ）度となるようにＭ方向の上記指向方向を選択する。すなわち、上記第一の選択手段は、上記指向方向を均等に間引いた状態で選択することができる。
【００１６】
また、請求項４にかかる発明は、上記第一の選択手段は、選択される複数の上記指向方向のうち隣接するもの同士に挟まれる上記指向方向の方向数が均等となるように複数の上記指向方向を選択する構成としてある。
【００１７】
上記のように構成した請求項４の発明は、上記第一の選択手段にて選択される複数の上記指向方向のうち隣接するもの同士に挟まれる上記指向方向の方向数が均等とされる。すなわち、上記指向方向を均等に間引いた状態で選択することができる。
【００１８】
さらに、請求項５にかかる発明は、上記第一および上記第二の信号状態検出手段にて検出する上記信号状態は上記周波信号の増幅率を規定するＡＧＣ電圧である構成としてある。
上記のように構成した請求項５の発明は、上記第一および上記第二の信号状態検出手段は上記周波信号の増幅率を規定するＡＧＣ電圧を上記信号状態として検出する。上記周波信号の強弱が反映されるＡＧＣ電圧検出することにより、上記周波信号の強いか弱いかを認識することができる。
【００１９】
また、請求項６にかかる発明は、上記第一および上記第二の信号状態検出手段にて検出する上記信号状態は上記周波信号のエラーレートである構成としてある。
上記のように構成した請求項６の発明は、デジタル階調で表現された上記周波信号のエラーレートを検出することにより、上記信号状態のよしあしを判断することができる。
【００２０】
上述のようなスマートアンテナを用いて放送電波を受信する手法は必ずしも実体のある装置に限られるものではなく、請求項８に記載した発明のように方法の発明としても有効である。また、上述のテレビジョン受信システムは単独で存在する場合もあるし、ある機器に組み込まれた状態で利用されることもあるなど、発明の思想としては、各種の態様を含むものである。例えば、請求項７のようにチューナとしても本発明を実現することが可能である。また、ソフトウェアであったりハードウェアであったりするなど、適宜、変更可能である。
【発明の効果】
【００２１】
以上説明したように、請求項１、請求項２、請求項７および請求項８にかかる発明によれば、全指向方向について信号状態を検出しなくても済むため、最適方向の指向方向の特定にかかる時間を短縮することができる。
請求項３にかかる発明によれば、全指向方向について偏りなく信号状態を確認することができる。
請求項４にかかる発明によれば、全指向方向について偏りなく信号状態を確認することができる。
請求項５にかかる発明によれば、放送電波を良好な受信状態で受信することができる。
請求項６にかかる発明によれば、デジタル放送電波を良好な受信状態で受信することができる。
【発明を実施するための最良の形態】
【００２２】
以下、下記の順序に従って本発明の実施形態を説明する。
（１）テレビジョン受信システムの構成：
（２）選局データ作成処理：
（３）変形例：
（４）まとめ：
【００２３】
図１は、本発明にかかるテレビジョン受信システムの概略構成を示している。同図において、テレビジョン３０が備えられており、同テレビジョン３０と図示しないケーブルで接続された略矩形箱状のコントロールユニット２０が備えられている。コントロールユニット２０はいわゆるセットトップボックスであり、テレビジョン３０と接続可能な限り任意の位置に設置することができる。コントロールユニット２０にはアンテナケーブル１６が接続されており、アンテナケーブル１６を介してコントロールユニット２０とスマートアンテナユニット１０とが接続している。
【００２４】
スマートアンテナユニット１０は床面に安定して設置するための脚部１７を有しており、同脚部から略円柱状の柱部１８が略鉛直に立設している。同柱部１８の上端には略円盤状のアンテナ保持部１９が保持されている。アンテナ保持部１９は略水平とされており、その側面からは４本の棒状指向性アンテナ１１，１１，１１，１１が外側に向かって放射状に突出している。互いに隣接する指向性アンテナ１１同士がなす角度はそれぞれ９０度とされているため、指向性アンテナ１１，１１，１１，１１はアンテナ保持部１９の側面の円周方向に均等に配設されていることとなる。また、指向性アンテナ１１，１１，１１，１１は、それぞれ伸長可能であり使用者が適宜引き出して使用することが可能となっている。
【００２５】
指向性アンテナ１１，１１，１１，１１はそれぞれ独立して放送電波を受信することが可能であり、それぞれ軸方向外側の方向に対して受信感度が高いものとなっている。すなわち、それぞれ軸方向外側の方向に対して受信感度が高い４本の指向性アンテナ１１，１１，１１，１１をアンテナ保持部１９の周方向に均等に配置することにより、全方向に対して受信感度が良好なアンテナを構成することができる。かかる構成により、地上波のテレビジョン放送電波がスマートアンテナユニット１０のいずれの方向から発信されたとしても、いずれかの指向性アンテナ１１，１１，１１，１１にて放送電波を受信することができる。すなわち、スマートアンテナユニット１０が受信可能な放送電波の方向に指向性をなくすことができるため、より多くの放送局から発信されるテレビジョン放送電波を受信することができ、より多くのチャンネルを楽しむことが可能となる。
【００２６】
ただし、常時、全方向から放送電波を受信可能とすると、所望の放送局から発信される放送電波以外の方向から発信されるノイズ電波も受信してしまうこととなるため、受像するチャンネルに応じて受信可能とする指向方向を限定するような制御を行うものとしている。また、各指向性アンテナ１１，１１，１１，１１から入力される位相量をそれぞれ制御し、合成することにより、細かい指向方向の切換を行っている。以下、スマートアンテナユニット１０の内部構成について説明する。
【００２７】
図２は、スマートアンテナユニット１０の内部構成を概念的に示している。同図において、４本の指向性アンテナ１１，１１，１１，１１がそれぞれ位相器１２，１２，１２，１２と接続されている。位相器１２，１２，１２，１２は指向性アンテナ１１，１１，１１，１１から入力される信号の位相量をそれぞれ制御することができる回路であり、コントロールユニット２０から出力されるバイアス電圧に応じて位相を遅らすことが可能となっている。位相器１２，１２，１２，１２にて位相量が制御された信号は合成器１４に入力され、同合成器１４にて合成される。合成器１４にて合成された信号はブースター回路１３に入力され、増幅される。
【００２８】
このように、４本の指向性アンテナ１１，１１，１１，１１から入力された信号の位相を可変させつつ合成させることにより、４本の指向性アンテナ１１，１１，１１，１１が軸方向のみならず任意の方向に指向性を持つようにすることができる。すなわち、各位相器１２，１２，１２，１２の位相量を適当な値に設定することにより、スマートアンテナユニット１０により形成される主ビームの方向を任意の方向とすることができる。
【００２９】
図３は、コントロールユニット２０の内部構成を概念的に示している。同図において、コントロールユニット２０は、スマートアンテナユニット１０における各位相器１２，１２，１２，１２の位相量を制御するアンテナコントロール部２１と、スマートアンテナユニット１０から周波信号を入力するチューナ部２２とを備えている。コントロールユニット２０はＣＰＵ２８ａの指令にしたがってスマートアンテナユニット１０に設定する指向方向を切り換えるための信号を生成する。具体的には、各位相器１２，１２，１２，１２に出力するバイアス電圧を可変させることにより、スマートアンテナユニット１０における指向方向を可変させている。コントロールユニット２０は各位相器１２，１２，１２，１２に出力するバイアス電圧の組み合わせを記憶させるための図示しないＲＯＭを備えている。このバイアス電圧の組み合わせは１６パターン記憶されており、コントロールユニット２０はＣＰＵ２８ａの指令にしたがっていずれかのパターンを各位相器１２，１２，１２，１２に出力する。
【００３０】
すなわち、以上の構成によりスマートアンテナユニット１０は１６とおりの指向方向を実現することが可能となる。図４は、上記１６パターンの指向方向を表している。同図において、アンテナ保持部１９を中心として放射状に均一な１６方位の指向方向を設定することが可能となっている。すなわち、隣接し合う指向方向の角度差は３６０／１６＝２２．５度で、均等となっている。このように、アンテナ保持部１９を中心として均等に指向方向を設定することにより、いずれの方向から入射する放送電波にも追従することができる。なお、紙面上方の指向方向をパターンＤ１とし、時計回りにパターンＤ２，Ｄ３，Ｄ４・・・Ｄ１６と識別するものと定義する。
【００３１】
図３に示すチューナ部２２は、いわゆるシンセサイザ方式のテレビジョン受信システムの構成とされ、選局制御信号としてＰＬＬデータ、すなわち、ＰＬＬループにおける可変分周回路の分周比のデータがチューナ部２２に与えられる。また、チューナ部２２では、ＣＰＵ２８ａからの選局制御信号としてのＰＬＬデータを受けて、入力された周波信号から所望の周波数帯域の周波信号を抽出することにより、複数のチャンネルの中から一つのチャンネルを選択する。ＣＰＵ２８ａはチューナ部２２における周波数のずれを検出し、この検出結果に基づいてＡＦＴ電圧をチューナ部２２に供給する。そして、チューナ部２２がＡＦＴ電圧に応じて、抽出する周波数帯域を補正することにより、最適な選局が行われるようになっている。
【００３２】
チューナ部２２の出力は、デジタル再生部２３とアナログ再生部２４のいずれかに供給される。すなわち、本実施形態にかかるコントロールユニット２０は、デジタル放送とアナログ放送の双方を再生することが可能となっている。デジタル再生部２３は、デジタルＩ／Ｆ２３ａと復調回路２３ｂとデスクランブル部２３ｃとデマルチプレックス部２３ｄとＭＰＥＧデコーダ２３ｇとから構成されている。チューナ部２２から周波信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。
【００３３】
すなわち、デジタルＩ／Ｆ２３ａと復調回路２３ｂは、チューナ部２２から入力される周波信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。なお、以上の処理において復調回路２３ｂは、全体のデータに対する上記ビット誤りの割合をエラーレートとして検出している。
【００３４】
また、復調回路２３ｂにて復調およびエラー訂正処理を行うことにより得られたトランスポートストリームはデスクランブル部２３ｃに供給される。トランスポートストリームは、通常、スクランブルがかかっているため、このままでは適正に映像・音声を再生することはできない。そこで、デスクランブル部２３ｃがトランスポートストリームに対してデ・スクランブル処理を行うことにより、トランスポートストリームを再生可能なデータ配列に復元する。デ・スクランブル処理が行われたトランスポートストリームは、映像信号や音声信号や文字情報等が多重化された形式となっており、デマルチプレックス部２３ｄに供給される。デマルチプレックス部２３ｄでは入力されたデータに対してデ・マルチプレックス処理を行う。すなわち、ここで多重化が解除される。なお、デスクランブル部２３ｃとデマルチプレックス部２３ｄとはそれぞれの処理を行う際にワークエリアとしてＤＲＡＭ２３ｅを利用することが可能である。
【００３５】
デ・マルチプレックス処理にて多重化が解除されると、映像信号および音声信号が所定の方式により圧縮されたＭＰＥＧデータと、例えば番組に関する文字情報といった映像信号や音声信号以外のデータに分離され、後者のデータはＣＰＵ２８ａに供給される。また、所定の周波数帯において複数のチャンネルのＭＰＥＧデータが多重化されて搬送される場合においては、これらについても多重化を解除される。前者のＭＰＥＧデータはＭＰＥＧデコーダ２３ｇに供給され、同ＭＰＥＧデコーダ２３ｇにて圧縮解凍処理、つまりＭＰＥＧデコード処理が行われる。ＭＰＥＧデータをＭＰＥＧデコード処理することにより、デジタル映像信号とデジタル音声信号とが生成され、同生成されたデジタル映像信号はさらにアナログの映像信号に変換される。
【００３６】
ＭＰＥＧデコーダ２３ｇはＯＳＤ処理部２３ｈを備えており、映像に所定の静止画面を重ねて表示したり、所定の静止画像を差し替えて表示するなどの処理も行うことができるようにされている。ＯＳＤ処理部２３ｈは受信された文字情報等のデータをＣＰＵ２８ａから入力し、同文字情報等のデータに基づいて静止画像等を生成することが可能となっている。
【００３７】
なお、ＭＰＥＧデコーダ２３ｇはＭＰＥＧデコード処理やＯＳＤ処理を行う際にワークエリアとしてＤＲＡＭ２３ｆを利用することが可能である。このように、ＭＰＥＧデコーダ２３ｇは圧縮解凍処理を実行可能であるとともに、ＯＳＤ処理部２３ｈにてグラフィックス処理を実行可能になっている。そして、圧縮解凍・アナログ変換された映像信号は映像出力部２６に供給され、同映像出力部２６にて同映像信号がテレビジョン３０に出力される。テレビジョン３０に対してアナログ映像信号を出力する方式としては、コンポジット出力やＳーＶｉｄｅｏ出力等の各種方式を採用することができる。
【００３８】
一方、ＭＰＥＧデコード処理により生成された音声信号は、Ｄ／Ａ変換部２５に入力され、同Ｄ／Ａ変換部２５にてアナログ音声信号に変換される。このアナログ音声信号は音声出力部２７に入力され、同音声出力部２７からテレビジョン３０に出力される。ただし、テレビジョン３０がオプティカル入力端子等を備え、デジタル音声信号を受け付けることができれば、Ｄ／Ａ変換部２５を介することなくデジタル音声信号をそのままテレビジョン３０に出力させても良い。
【００３９】
一方、アナログ再生部２４は、アナログＩ／Ｆ２４ａと復調回路２４ｂとＮＴＳＣデコーダ２４ｄと音声デコーダ２４ｅとから構成されている。アナログＩ／Ｆ２４ａと復調回路２４ｂは、チューナ部２２から入力される中間周波信号を増幅させるＡＧＣ回路２４ｂ１を備えている。ＡＧＣ回路２４ｂ１における中間周波信号の増幅率はＡＧＣ電圧により規定されており、同ＡＧＣ電圧は同ＡＧＣ回路２４ｂ１にて増幅された中間周波信号の振幅レベルに応じて変動する。すなわち、ＡＧＣ回路２４ｂ１はＡＧＣ電圧をフィードバック信号として中間周波信号を増幅させている。
【００４０】
具体的に、増幅された中間周波信号が強い場合には増幅率を低下させるべくＡＧＣ電圧を低下させ、増幅された中間周波信号が弱い場合には増幅率を増加させるべくＡＧＣ電圧を増加させる。すなわち、本実施形態においてＡＧＣ電圧が高いほどチューナ部２２から入力される中間周波信号が弱いと言える。これにより、増幅された中間周波信号の振幅レベルをほぼ一定とすることができるため、各チャンネル間で再現される色に違いがないようにすることができる。また、ＡＧＣ電圧は増幅された中間周波信号を所定の基準電圧と比較することにより生成されているため、増幅後の中間周波信号の振幅レベルは理想的な値を維持することができる。ＡＧＣ電圧はＣＰＵ２８ａに出力されており、同出力されたＡＧＣ電圧に基づいてＣＰＵ２８ａが各種制御を実行させる。
【００４１】
復調回路２４ｂは復調した中間周波信号を分離することにより、ＮＴＳＣ形式のアナログ映像信号とアナログ音声信号とを生成する。同生成されたアナログ映像信号はＮＴＳＣデコーダ２４ｄに入力され、同ＮＴＳＣデコーダ２４ｄにてＣＣＩＲ６５６形式のデジタル映像信号に変換される。なお、ＮＴＳＣ形式はアナログテレビジョン信号の標準形式であり、色を再現するための信号と１５．７５ｋＨｚの水平同期信号と６０Ｈｚの垂直同期信号等が含まれる。復調回路２４ｂには水平同期信号と垂直同期信号とを抽出するための同期分離回路２４ｂ２が備えられており、同期分離回路２４ｂ２が抽出した水平同期信号と垂直同期信号に基づいて、ＮＴＳＣデコーダ２４ｄが同期の取れたデジタル映像信号を生成することが可能とされている。なお、ＣＣＩＲ６５６形式はＹＵＶの各要素がデジタル階調で表現されるデジタル映像信号の形式である。一方、復調回路２４ｂにて分離されたアナログ音声信号は音声デコーダ２４ｅに供給され、同音声デコーダ２４ｅにて左右独立したステレオ音声信号に分離される。
【００４２】
ＮＴＳＣデコーダ２４ｄにて生成されたデジタル映像信号は、ＭＰＥＧデコーダ２３ｇに入力され、上述と同様にＯＳＤ処理やアナログ変換が行われる。そして、アナログ変換された映像信号は映像出力部２６に供給され、同映像出力部２６からテレビジョン３０に出力される。一方、音声信号が音声出力部２７に入力され、同音声出力部２７からテレビジョン３０に出力される。
【００４３】
上述したＣＰＵ２８ａはバス２９に接続されており、バス２９に接続されたＲＡＭ２８ｂをワークエリアとしながら、当該コントロールユニット２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データを使用して制御処理を実行する。
【００４４】
ＥＥＰＲＯＭ２８ｄに記憶されるデータの一例として、選局データ２８ｄ１が記憶されている。図５は、この選局データ２８ｄ１の一例を示している。選局データ２８ｄ１は、リモコン送信機４０等にて指定可能なチャンネル番号と、チューナ部２２にて抽出を行う周波数帯域と、受信に好適な指向方向Ｄ１〜Ｄ１６とが対応づけられたテーブルであり、ＣＰＵ２８ａが同テーブルを参照することにより指定されたチャンネル番号に対応した周波数帯域と受信に使用する指向方向Ｄ１〜Ｄ１６を特定することが可能となっている。なお、本実施形態においてチューナ部２２はシンセサイザ方式を採用しているため、チャンネル番号と分周比のデータとの対応関係が選局データ２８ｄ１として記憶されている。
【００４５】
このような選局データ２８ｄ１として、予め最適な組み合わせを記憶しておくことにより、最適な条件で各チャンネルを受像することができる。チャンネル番号毎に放送電波の発信局が異なり、スマートアンテナユニット１０に対してチャンネル番号毎に異なる方向から放送電波が入射することが考えられる。従って、チャンネル番号に応じて指向性が合致する指向方向Ｄ１〜Ｄ１６を予め設定しておくことは、良好な受信品質を確保するために重要である。最適な指向方向Ｄ１〜Ｄ１６を特定する情報は、ＣＰＵ２８ａを通じてアンテナコントロール部２１に供給され、これに基づいて各位相器１２，１２，１２，１２にバイアス電圧が出力される。ここで、最適な指向方向Ｄ１〜Ｄ１６とは、原則的に受像するチャンネル番号に対応する放送電波の放送局が存在する方向と一致する指向方向Ｄ１〜Ｄ１６である。すなわち、放送局が存在する方向と一致する方向の指向方向Ｄ１〜Ｄ１６を設定することにより、強い放送電波を受信すること可能となるとともに、他方向からのノイズ電波の影響を受けにくくすることができる。
【００４６】
また、ＥＥＰＲＯＭ２８ｄにはＯＳＤ処理部２３ｈにてＯＳＤ画像を生成するためのＯＳＤデータ２８ｄ２が記憶されている。ＣＰＵ２８ａはリモコン送信機４０からの指令や各回路の動作状況等に応じて、適宜、ＯＳＤデータ２８ｄ２を読み出して、ＯＳＤ処理部２３ｈにＯＳＤデータ２８ｄ２を供給する。例えば、ＣＰＵ２８ａが使用者に対して警告が必要であると判断すると、警告画面が生成可能なＯＳＤデータ２８ｄ２を読み出して、ＯＳＤ処理部２３ｈに警告画面を映像に組み込むよう指令する。また、ＥＥＰＲＯＭ２８ｄにはスマートアンテナユニット１０の設置位置を特定するための住所情報が格納された住所データ２８ｄ４や、放送電波の発信元である放送局についての情報が格納された放送局データ２８ｄ３等が記憶されている。このようなデータは、リモコンＩ／Ｆ２８ｅやバスＩ／Ｆ２８ｆやＩＣカードＩ／Ｆ２８ｇやＬＡＮＩ／Ｆ２８ｈを介して入力され、ＥＥＰＲＯＭ２８ｄに記憶される。
【００４７】
バス２９にはリモコン送信機Ｉ／Ｆ２８ｅが接続されており、外部機器としてのリモコン送信機４０から出力される赤外線明滅信号を入力可能になっている。この赤外線明滅信号はバス２９を介してＣＰＵ２８ａに送出され、ＣＰＵ２８ａは対応する制御処理を実行する。また、バス２９には外部機器とケーブルを介して接続するためのバスＩ／Ｆ２８ｆと、ＩＣカードとデータを授受するためのＩＣカードＩ／Ｆ２８ｇとＬＡＮ規格に準拠した外部機器と通信を行うためのＬＡＮＩ／Ｆ２８ｈが接続されている。バスＩ／Ｆ２８ｆおよびＩＣカードＩ／Ｆ２８ｇから読み取った情報は、バス２９を介してＣＰＵ２８ａに送出され、ＣＰＵ２８ａにて所定の処理が行われる。
【００４８】
（２）選局データ作成処理：
図６は、スマートアンテナユニット１０と放送局の様子を模式的に示している。同図において、スマートアンテナユニット１０における指向方向Ｄ１〜Ｄ１６（指向方向Ｄ１〜Ｄ１６に設定した場合の主ビームの方向）を仮想的に示している。スマートアンテナユニット１０の周囲には放送局Ａと放送局Ｂと放送局Ｃとが存在しており、放送局Ａは指向方向Ｄ１の延長上に位置している。一方、放送局Ｂは指向方向Ｄ７の延長上に位置している。放送局Ａと放送局Ｂと放送局Ｃは、それぞれ搬送電波の周波数が異なるテレビジョン放送電波を発信するものである。なお、スマートアンテナユニット１０に対する放送局Ａと放送局Ｂとの距離はそれぞれから発信される放送電波がスマートアンテナユニット１０に到達する範囲内であるものとする。また、スマートアンテナユニット１０に対する放送局Ｃの距離は同放送局Ｃから発信される放送電波がスマートアンテナユニット１０に到達する範囲外であるものとする。
【００４９】
図７は選局データ作成処理の流れを示しており、図８は選局データ作成プログラムのソフトウェア構成を示している。選局データ作成プログラムＭはＲＯＭ２８ｃに記憶されており、ＣＰＵ２８ａが選局データ作成プログラムＭを読み出しつつ実行する。選局データ作成プログラムＭは周波数特定部Ｍ１とアンテナ選択部Ｍ２とＡＧＣ電圧比較部Ｍ３を備えており、それぞれコントロールユニット２０の各回路およびＥＥＰＲＯＭ２８ｄとデータの授受を行っている。
【００５０】
図７に示すステップＳ１００において、使用者からの住所入力を受け付ける。住所入力はリモコン送信機４０の操作により行われ、リモコン送信機Ｉ／Ｆ２８ｆがこの入力を受け付け、同受け付けた住所情報はＥＥＰＲＯＭ２８ｄにおける住所データ２８ｄ４に格納される。住所データ２８ｄ４は、選局データ作成処理を実行する毎に入力を受け付けるようにしても良いし、予め住所データ２８ｄ４が設定されていても良い。以上の用にして住所データ２８ｄ４が登録されると、スマートアンテナユニット１０の設置位置を特定することが可能となる。
【００５１】
ステップＳ１１０では予めＥＥＰＲＯＭ２８ｄに記憶されている放送局データ２８ｄ１を読み出して、放送局についての情報を読み出す。この放送局についての情報には、各放送局の所在地や、各放送局が関連付けられるチャンネル番号や、各放送局が発信する放送電波の周波数等が含まれる。ステップＳ１２０では受信できる可能性のある周波数をリストアップする。すなわち、スマートアンテナユニット１０の設置位置と各放送局の所在地とから、両者の距離が判明し、同距離において各放送局から発信される放送電波が到達可能であるかどうかを判定することができる。
【００５２】
図６に示す例では、スマートアンテナユニット１０に対する放送局Ａと放送局Ｂとの距離から、放送局Ａと放送局Ｂに関連づけられて記憶された周波数の放送電波がスマートアンテナユニット１０に到達する可能性があると判断することができる。一方、放送局Ｃについてはスマートアンテナユニット１０との距離が長く、放送電波が到達しないと判断することができる。ただし、放送電波は経路中における障害や環境等によって到達距離が大きく変動するため、少しでも到達する可能性があれば、到達可能と判断しておくことが望ましい。また、放送局についての情報として地形情報等を取得し、上記予測の正確性を高めても良いし、各放送局が発信する周波数毎の減衰特性に基づいて正確に到達可能性の可否を判断するようにしても良い。本実施形態では、予め受信できそうな周波数を住所データ２８ｄ４や放送局データ２８ｄ１に基づいて絞り込んでいるが、全ての周波数について放送電波のスキャンを行うようにしても良い。
【００５３】
そして、ステップＳ１３０では周波数選択部Ｍ１が到達可能性のある周波数のいずれかを選択する。図６に示す例では、放送局Ａと放送局Ｂから発信される放送電波が到達可能であるため、放送局Ａと放送局Ｂが発信する放送電波の周波数のいずれかを選択する。ここでは放送局Ａが発信する放送電波の周波数が選択されるものとして説明する。ステップＳ１４０において、アンテナ選択部Ｍ２が指向方向Ｄ１〜１６のうち指向方向Ｄ１，Ｄ５，Ｄ９，Ｄ１３を選択する（第一の選択工程）。そして、アンテナ選択部Ｍ２は、これらの指向方向Ｄ１，Ｄ５，Ｄ９，Ｄ１３に順に切り換えられるようにアンテナコントロール部２１に対して指令する。さらに、アンテナコントロール部２１がスマートアンテナユニット１０における各位相器１２，１２，１２，１２に対してそれぞれ指向方向Ｄ１，Ｄ５，Ｄ９，Ｄ１３に対応したバイアス電圧を供給することにより、指向方向Ｄ１，Ｄ５，Ｄ９，Ｄ１３が順に設定される（第一の検索工程）。
【００５４】
チューナ部２２には周波数特定部Ｍ１から放送局Ａが発信する放送電波の周波数の情報が入力されており、同周波数帯域の周波信号のみがチューナ部２２にて抽出される。このとき、指向方向Ｄ１，Ｄ５，Ｄ９，Ｄ１３から入力される周波信号の強度に応じて変動するＡＧＣ電圧がＡＧＣ電圧比較部Ｍ３によって取得される。ここで、指向方向Ｄ１が放送局Ａから発信される放送電波の入射方向とほぼ合致する。従って、指向方向Ｄ１に対応したバイアス電圧のパターンが各位相器１２，１２，１２，１２に出力されたとき、入力される周波信号の強度が強く、ＡＧＣ電圧は低いものとなる。
【００５５】
これに対して、指向方向Ｄ５，Ｄ９，Ｄ１３は放送局Ａから発信される放送電波の入射方向と合致しないため、ＡＧＣ電圧は高いものとなる。ただし、放送電波は反射や迂回することがあるため、必ずしも放送局Ａが位置する方向と合致する指向方向Ｄ１，Ｄ５，Ｄ９，Ｄ１３に設定したとき、最も低いＡＧＣ電圧が検出されるとは限らない。いずれにしても、設定時において最も低いＡＧＣ電圧が検出される指向方向Ｄ１，Ｄ５，Ｄ９，Ｄ１３によれば、最も受信状態が良好となる。
【００５６】
ステップＳ１５０では最もＡＧＣ電圧が低い指向方向Ｄ１，Ｄ５，Ｄ９，Ｄ１３が特定される。上記の例では、指向方向Ｄ１が特定される。そして、同特定された指向方向Ｄ１と角度差が４５度以下となる指向方向Ｄ１〜１６を特定する。指向方向Ｄ１が特定されているため、ここでは指向方向Ｄ２，Ｄ３，Ｄ１５，Ｄ１６の方向の指向方向が選択される（第二の選択工程）。そして、アンテナコントロール部２１がスマートアンテナユニット１０における各位相器１２，１２，１２，１２に対してそれぞれ指向方向Ｄ１，Ｄ５，Ｄ９，Ｄ１３に対応したバイアス電圧を供給することにより、指向方向Ｄ２，Ｄ３，Ｄ１５，Ｄ１６が順に設定される（第二の検索工程）。
【００５７】
このとき、指向方向Ｄ２，Ｄ３，Ｄ１５，Ｄ１６から入力される周波信号の強度に応じて変動するＡＧＣ電圧がＡＧＣ電圧比較部Ｍ３によって取得される（第二の信号状態検出工程）。そして、ステップＳ１６０では最もＡＧＣ電圧が低くなる指向方向が特定される。上記の例では、放送局Ａから発信される放送電波の入射方向と軸方向の配向方向との差が最も小さい、指向方向Ｄ２に設定したときのＡＧＣ電圧が最も低くなると特定される（指向方向特定工程）。
【００５８】
ステップＳ１７０ではステップＳ１６０にて特定した指向方向と、周波数（ループ分周比）と、チャンネル番号とを対応づけて選局データ２８ｄ１に記憶する。上記の例では、指向方向Ｄ２と放送局Ａのチャンネル番号とその周波数との対応関係が選局データ２８ｄ１に定義される。なお、ステップＳ１６０にて隣接する２方向の指向方向が特定された場合には、これらの中間の指向方向を生成するようなバイアス電圧のパターンを算出し、このパターンを記憶するようにしても良い。ステップＳ１８０では、ステップＳ１２０にてリストアップされた周波数の全てについてステップＳ１３０からステップＳ１７０までが実行されたかを判断し、全て実行されていないのであればステップＳ１３０で他の周波数を選択し、以降の処理を繰り返す。上記の例では、放送局Ｂの周波数についての処理が完了していないため、ステップＳ１３０にて放送局Ｂの周波数が選択される。
【００５９】
放送局Ｂについては、ステップＳ１５０にて最もＡＧＣ電圧が低くなる指向方向として指向方向Ｄ５，Ｄ９の双方が選択されることとなる。従って、これらと配向方向の差が４５度以下となる指向方向として、指向方向Ｄ３〜Ｄ１１が選択されることとなる。そして、ステップＳ１６０では放送局Ｂから発信される放送電波の入射方向と軸方向が一致する指向方向Ｄ７が特定される。従って、ステップＳ１７０では指向方向Ｄ７と放送局Ｂのチャンネル番号とその周波数との対応関係が選局データ２８ｄ１に定義される。
【００６０】
なお、本実施形態では、ステップＳ１５０にて最もＡＧＣ電圧が低くなる指向方向として二方向選択された場合に、両者に対して４５度以下の角度差となる指向方向Ｄ３〜Ｄ１１が選択されるものとしたが、両者に挟まれる指向方向を特定するようにしても良い。その場合、指向方向Ｄ６〜Ｄ８に絞り込むことができるため、スキャン全体の時間を短縮することができる。
【００６１】
このように、第一の選択工程において選択された指向方向Ｄ１，Ｄ５，Ｄ９，Ｄ１３についての受信状態を検出することにより、所望の放送電波がどの方向から発信されいるかを大雑把に把握することがきる。すなわち、指向方向Ｄ１，Ｄ５，Ｄ９，Ｄ１３はそれぞれ直交する関係にあり、まずは偏りなく放送電波の入射方向を特定することができる。なお、本実施形態を本発明に当てはめると、Ｎ＝１６，Ｍ＝４，（３６０／Ｍ）＝９０度となる。また、本実施形態において、第一の選択工程において選択された各指向方向Ｄ１，Ｄ５，Ｄ９，Ｄ１３に挟まれる指向方向の数は均等であり、それぞれ３方向となっている。
【００６２】
そして、大雑把に指向性が合致すると特定された方向との角度の差異が小さい指向方向を第二の選択工程において選択し、同特定された方向の近辺についてのみ、さらに詳細に受信状態を検出するようにしている。このようにすることにより、全指向方向Ｄ１〜Ｄ１６についてＡＧＣ電圧を検出しなくても、最適な指向方向の特定を行うことができる。従って、全体の処理時間を短縮することができる。なお、以上の処理により作成された選局データ２８ｄ１にしたがって選局を行うことにより、良好な受像品質を得ることが可能となる。
【００６３】
（３）変形例：
以上においては、信号状態としてＡＧＣ電圧を検出するものを例示したが、他の信号状態を基準として指向性が合致する指向方向を特定するようにしても良い。その一例として、デジタル放送波の伝送経路上のエラーレートと利用することも可能である。上述のとおり、デジタル再生部２３における復調回路２３ｂは、全体のデータに対する上記ビット誤りの割合をエラーレートとして検出しているため、ＡＧＣ電圧の代わりにエラーレートを比較することによって、良好なデジタル画像再生を実現させることが可能である。むろん、ＡＧＣ電圧とエラーレートを併用して判断するようにしても良い。また、水平同期信号や垂直同期信号等に基づいて判断するようにしても良い。
【００６４】
また、上述した実施形態においては、本発明のチューナの機能を実現するコントロールユニット２０とテレビジョン３０とが別装置とされているが、テレビジョン３０がスマートアンテナユニット１０を直接コントロールするようにすることも可能である。図９は、そのための構成を示している。同図において、コントロールユニット２０に備えられていた各種回路はテレビジョン１３０に備えられており、映像信号と音声信号はテレビジョン１３０に備えられるモニタおよびスピーカにそれぞれ出力されている。なお、モニタとして液晶パネルやプラズマパネル等のデジタル表示素子を適用する場合には、デジタル映像信号のままモニタに出力することが可能である。
【００６５】
（４）まとめ：
以上説明したように、本発明において、第一の信号状態検出工程にて大雑把に指向性が合致すると特定された方向との角度の差異が小さい指向方向Ｄ１〜Ｄ１６を第二の選択工程において選択し、同特定された方向の近辺についてのみ、さらに詳細に受信状態を検出するようにしている。このようにすることにより、全指向方向Ｄ１〜Ｄ１６についてＡＧＣ電圧を検出することなく、最適な指向方向Ｄ１〜Ｄ１６の特定を行うことができる。従って、全体の処理時間を短縮することができる。
【図面の簡単な説明】
【００６６】
【図１】テレビジョン受信システムの外観斜視図である。
【図２】スマートアンテナユニットの回路ブロック図である。
【図３】コントロールユニットの回路ブロック図である。
【図４】指向方向を示す模式図である。
【図５】選局データを示す表である。
【図６】スマートアンテナユニットと放送局との関係を示す模式図である。
【図７】選局データ作成処理のフローチャートである。
【図８】選局データ作成処理を実行するためのソフトウェア構成図である。
【図９】変形例にかかるテレビジョン受信システムの回路ブロック図である。
【符号の説明】
【００６７】
１０…スマートアンテナユニット
１１…指向性アンテナ
１２…位相器
１３…ブースター回路
１４…合成器
１６…アンテナケーブル
１７…脚部
１８…柱部
１９…アンテナ保持部
２０…コントロールユニット
２１…アンテナコントロール部
２２…チューナ部
２３…デジタル再生部
２３ｂ…復調回路
２３ｃ…デスクランブル部
２３ｄ…デマルチプレックス部
２３ｅ，２３ｆ…ＤＲＡＭ
２３ｇ…ＭＰＥＧデコーダ
２３ｈ…ＯＳＤ処理部
２４…アナログ再生部
２４ｂ…復調回路
２４ｂ１…ＡＧＣ回路
２４ｂ２…同期分離回路
２４ｄ…ＮＴＳＣデコーダ
２４ｅ…音声デコーダ
２６…映像出力部
２７…音声出力部
２８ａ…ＣＰＵ
２８ｂ…ＲＡＭ
２８ｃ…ＲＯＭ
２８ｄ…ＥＥＰＲＯＭ
２８ｄ１…選局データ
２８ｄ２…ＯＳＤデータ
２８ｄ３…放送局情報
２８ｄ４…住所情報
２９…バス
３０…テレビジョン
４０…リモコン送信機
【図１】
2005354628.tif 000003
【図２】
2005354628.tif 000004
【図３】
2005354628.tif 000005
【図４】
2005354628.tif 000006
【図５】
2005354628.tif 000007
【図６】
2005354628.tif 000008
【図７】
2005354628.tif 000009
【図８】
2005354628.tif 000010
【図９】
2005354628.tif 000011